(57)【特許請求の範囲】
【請求項１】
前側本体パネル（１２）と、後側本体パネル（１３）と、前記前側本体パネルと前記後側本体パネルとの間に位置する股パネル（１４）と、少なくとも前記股パネルに配置された吸収性コア（１６）と、前記前側本体パネルを前記後側本体パネルにつなぐサイドシーム（１９、２０）と、１対の脚用開口（２２、２３）と、垂下脚部（２４、２５）とを含む衣類シェル（１１）を備える、ボクサーショーツの形態の吸収性パンツ物品を作製する方法であって、
前記物品が、長手（ｙ）方向および横（ｘ）方向を有し、前記前側本体パネル（１２）、前記後側本体パネル（１３）および前記股パネル（１４）のそれぞれが、弾性ウェブ材製であり、前記脚用開口（２２、２３）が、前記股パネルに配置され、前記前側本体パネルおよび前記後側本体パネル内には延在せず、前記サイドシーム（１９、２０）は前記股パネル内に延在し、前記物品の前記サイドシーム（１９、２０）間の前記横方向（ｘ）で測定された、前記弾性ウェブ材が弛緩状態にある前記股パネルの幅は、前記物品の前記サイドシーム間で測定された、それぞれの前記弾性ウェブ材が弛緩状態にある前記前側本体パネルおよび前記後側本体パネルのうちのいずれかの幅よりも少なくとも７％大きい、方法において、
前記方法が、
前記股パネル（１４）を形成するように意図された第１の弾性ウェブ材（１４ａ）と、前記前側本体パネル（１２）を形成するように意図された第２の弾性ウェブ材（１２ａ）と、前記後側本体パネル（１３）を形成するように意図された第３の弾性ウェブ材（１３ａ）と、を準備するステップであって、前記第１の弾性ウェブ材、前記第２の弾性ウェブ材、および前記第３の弾性ウェブ材それぞれは、弛緩状態にあるときにはそれぞれ一定した幅を有するステップと、
前記第１の弾性ウェブ材（１４ａ）を前記第２の弾性ウェブ材（１２ａ）および前記第３の弾性ウェブ材（１３ａ）のそれぞれに取り付けるステップであって、互いに取り付けられるときに、前記第２および第３の弾性ウェブ材（１２ａ、１３ａ）のうちの少なくとも１つが伸長状態に保持されるとともに、前記第１の弾性ウェブ材（１４ａ）が、弛緩状態に、または前記第２または第３の弾性ウェブ材（１２ａ、１３ａ）と比べてそれほど伸長されていない状態にある、ステップと、
前記脚用開口（２２、２３）を前記第１の弾性ウェブ材（１４ａ）に設けるステップと、
前記吸収性コア（１６）を少なくとも前記第１の弾性ウェブ材に取り付けるステップと、
前記第２の弾性ウェブ材と、前記第３の弾性ウェブ材と、を一緒に取り付けて前記サイドシーム（１９、２０）を形成するステップであって、前記サイドシームは、前記第１の弾性ウェブ材内に延在するステップと、
を備えることを特徴とする、方法。
【請求項２】
前記第１の弾性ウェブ材（１４ａ）が、前記第２の弾性ウェブ材（１２ａ）および前記第３の弾性ウェブ材（１３ａ）のうちの前記少なくとも１つと同一の種類または異なる種類であることを特徴とする、請求項１に記載の方法。
【請求項３】
ボクサーショーツの形態の吸収性パンツ物品を作製する方法であって、前記ボクサーショーツが、前側本体パネル（１２）と、後側本体パネル（１３）と、前記前側本体パネルと前記後側本体パネルとの間に位置する股パネル（１４）と、少なくとも前記股パネルに配置された吸収性コア（１６）と、前記前側本体パネルを前記後側本体パネルにつなぐサイドシーム（１９、２０）と、１対の脚用開口（２２、２３）と、垂下脚部（２４、２５）とを含む衣類シェル（１１）を備え、前記物品は、長手（ｙ）方向および横（ｘ）方向を有し、前記前側本体パネル（１２）、前記後側本体パネル（１３）および前記股パネル（１４）のそれぞれが、弾性ウェブ材製であり、前記脚用開口（２２、２３）が、前記股パネルに配置され、前記前側本体パネルおよび前記後側本体パネル内には延在せず、前記サイドシーム（１９、２０）は前記股パネル内に延在し、前記物品の前記サイドシーム（１９、２０）間の前記横方向（ｘ）で測定された、前記弾性ウェブ材が弛緩状態にある前記股パネルの幅は、前記物品の前記サイドシーム間で測定された、それぞれの前記弾性ウェブ材が弛緩状態にある前記前側本体パネルおよび前記後側本体パネルのうちのいずれかの幅よりも少なくとも７％大きい、方法において、
前記方法が、
前記前側パネル（１２）、前記後側パネル（１３）および前記股パネル（１４）を形成するように意図された弾性ウェブ材（２７）を準備するステップと、
前記股パネルを形成するように意図された区域における前記弾性ウェブ材が、前記前側本体パネルおよび前記後側本体パネルを形成するように意図された区域における前記弾性ウェブ材の寸法を超える寸法を有するように、前記股パネルを形成するように意図された区域における前記弾性ウェブ材に、前記弾性ウェブ材を前記吸収性パンツの横（ｘ）方向を形成するように意図された方向に延伸または変形させる処置を加えるステップと、
前記脚用開口（２２、２３）を前記股パネル区域に設けるステップと、
前記吸収性コア（１６）を少なくとも前記股パネル区域に取り付けるステップと、
前記前側パネル区域と前記後側パネル区域とを一緒に取り付けて前記サイドシーム（１９、２０）を形成するステップと、
を含み、前記サイドシームは、前記股パネル区域内に延在することを特徴とする、方法。
【請求項４】
前記物品の、前記サイドシーム（１９、２０）間で測定された、前記第１の弾性ウェブ材の弛緩状態における前記股パネルの前記幅が、前記物品の前記サイドシーム間で測定された、前記第２および第３の弾性ウェブ材それぞれの弛緩状態における前記前側本体パネルおよび前記後側本体パネルのうちのいずれかの前記幅よりも少なくとも１０％大きいことを特徴とする、請求項１または２に記載の方法。
【請求項５】
前記物品の、前記サイドシーム（１９、２０）間で測定された、前記第１の弾性ウェブ材の弛緩状態における前記股パネルの前記幅が、前記物品の前記サイドシーム間で測定された、前記第２および第３の弾性ウェブ材それぞれの弛緩状態における前記前側本体パネルおよび前記後側本体パネルのうちのいずれかの前記幅よりも１００％以上大きいことはないことを特徴とする、請求項１または２に記載の方法。
【請求項６】
前記物品の、前記サイドシーム（１９、２０）間で測定された、前記第１の弾性ウェブ材が弛緩状態における前記股パネルの前記幅が、前記物品の前記サイドシーム間で測定された、前記第２および第３の弾性ウェブ材それぞれの弛緩状態における前記前側本体パネルおよび前記後側本体パネルのうちのいずれかの前記幅よりも１０〜７０％、好ましくは２０〜４０％大きいことを特徴とする、請求項１、２、４、および５のいずれか一項に記載の方法。
【請求項７】
前記股パネル（１４）の前記第１の弾性ウェブ材が、前記前側本体パネル（１２）の第２の弾性ウェブ材および前記後側本体パネル（１３）の第３の弾性ウェブ材のうちの少なくとも１つと同一の種類であることを特徴とする、請求項１、２、４、５、および６のいずれか一項に記載の方法。
【請求項８】
前記股パネル（１４）の前記第１の弾性ウェブ材が、前記前側本体パネル（１２）の第２弾性ウェブ材および前記後側本体パネル（１３）の第３の弾性ウェブ材のうちの少なくとも１つとは異なる種類であることを特徴とする、請求項１、２、４、５、および６のいずれか一項に記載の方法。
【請求項９】
前記サイドシーム（１９、２０）が少なくとも１０ｍｍ、好ましくは少なくとも２０ｍｍ、前記股パネル（１３）内に延在することを特徴とする、請求項１〜８のいずれかいずれか一項に記載の方法。
【請求項１０】
前記第１の弾性ウェブ材、前記第２の弾性ウェブ材、および前記第３の弾性ウェブ材は、少なくとも１つの繊維層と、少なくとも１つの薄膜層と、を備える弾性積層体であることを特徴とする、請求項１、２、４、５、６、７、および８のいずれか一項に記載の方法。
【請求項１１】
前記弾性ウェブ材が、少なくとも１つの繊維層と、少なくとも１つの薄膜層とを備える弾性積層体であることを特徴とする、請求項３または９に記載の方法。
【発明の詳細な説明】
【技術分野】
【０００１】
本発明は、前側本体パネルと、後側本体パネルと、前側本体パネルと後側本体パネルとの間に位置する股パネルと、少なくとも股パネルに配置された吸収性コアと、前側ウエスト縁部と、後側ウエスト縁部と、前側本体パネルを後側本体パネルにつなぐサイドシームと、１対の脚用開口と、垂下脚部とを含む衣類シェルを備えるボクサーショーツの形態の吸収性物品に言及する。さらに、本発明は、ボクサーショーツの形態の吸収性物品を作製する方法に言及する。
【背景技術】
【０００２】
パンツ型おむつ、衛生パンツおよび失禁パンツのような吸収性パンツ物品は、快適なフィット性を有し、また、着用者または介護者がこの物品を容易に取り付け、汚れていたときには容易に取り外すことを可能にするために、着用者の腰回り上に引き上げ、引き下げることができる。従来の下着類と似ているボクサーショーツの形態の吸収性パンツ物品が、多くのユーザに好まれている。しかし、使い捨ての吸収性ボクサーショーツは、製造上の問題を引き起こし、製品設計は、しばしば費用および製造の面によって損なわれる。このことは、一部には、低価格の使い捨て吸収性物品を作製できるようにするためには高い製造速度が必要であることによる。
【０００３】
特許文献１は、たとえば、使い捨て吸収性物品の形態のボクサーショーツの作製方法を開示している。このボクサーショーツの衣類シェルは、中に脚用開口を有する平坦ウェブから形成される。平坦ウェブは垂下脚部を提供するために股領域において収縮し、サイドシームが形成されてボクサーショーツ型パンツが作られる。
【０００４】
特許文献２は、ボクサーショーツおよびその作製方法を開示している。股領域および／または後側領域は、その前側領域および／または後側領域中の衣類シェルウェブに取り付けられた個別の１枚の材料の形態の拡張可能な材料を含む。
【０００５】
しかし、特に、快適さおよびフィット性を脚用開口および垂下脚部にもたらすことに関して、ボクサーショーツ型吸収性物品の製品設計を改良する必要性が依然として存在する。
【先行技術文献】
【特許文献】
【０００６】
【特許文献１】米国特許第７，１９８，６８８号明細書
【特許文献２】欧州特許第１７９３７８０号明細書
【特許文献３】欧州特許出願公開第０３５  ８１８号明細書
【特許文献４】国際公開第０３／０４７４８８号
【特許文献５】国際公開第２００５／１２２９８５号
【発明の概要】
【発明が解決しようとする課題】
【０００７】
本発明の一目的は、上記問題への解決策を提供することであり、本発明によれば、前記前側本体パネル、前記後側本体パネルおよび前記股パネルのそれぞれが、弾性ウェブ材製であり、脚用開口が股パネルに配置され、前側本体パネルおよび後側本体パネル内には延在せず、前記サイドシームが股パネル内に延在し、また、物品のサイドシーム間で測定された、その弾性ウェブ材が弛緩状態の股パネルの幅は、物品のサイドシーム間で測定された、それぞれの弾性ウェブ材が弛緩状態の前側本体パネルおよび後側本体パネルのうちのいずれかの幅よりも少なくとも７％大きい。
【課題を解決するための手段】
【０００８】
物品のサイドシーム間で測定された、その弾性ウェブ材が弛緩状態の股パネルの幅は、物品のサイドシーム間で測定された、それぞれの弾性ウェブ材が弛緩状態の前側本体パネルおよび後側本体パネルのうちのいずれかの幅よりも少なくとも１０％大きくすることができる。
【０００９】
物品のサイドシーム間で測定された、その弾性ウェブ材が弛緩状態の股パネルの幅は、物品のサイドシーム間で測定された、それぞれの弾性ウェブ材が弛緩状態の前側本体パネルおよび後側本体パネルのうちのいずれかの幅よりも１００％以下、好ましくは１０から７０％、より好ましくは２０から４０％大きくすることができる。
【００１０】
股パネルにおける弾性ウェブ材は、前側本体パネルおよび後側本体パネルの弾性ウェブ材に取り付けられた個別の弾性ウェブ材とすることができる。
【００１１】
前側本体パネルおよび後側本体パネルのうちの前記少なくとも１つの少なくとも弾性ウェブ材が伸長状態で保持され、また、股パネルにおける弾性ウェブ材が、弛緩状態、または前側本体パネルおよび後側本体パネルのうちの前記少なくとも１つにおける弾性ウェブ材と比べてそれほど伸長されない状態である間に、股パネルにおける弾性ウェブ材が、前側本体パネルおよび後側本体パネルのうちの前記少なくとも１つにおける弾性ウェブ材に結合され得る。
【００１２】
股パネルにおける弾性ウェブ材は、前側本体パネルおよび後側本体パネルのうちの少なくとも１つにおける弾性ウェブ材と同一の種類とすることができる。
【００１３】
股パネルにおける弾性ウェブ材は、前側本体パネルおよび後側本体パネルのうちの少なくとも１つにおける弾性ウェブ材とは異なる種類とすることができる。
【００１４】
股パネルにおける弾性ウェブ材は、前側本体パネルおよび後側本体パネルにおける弾性ウェブ材と同一で一体であってもよく、また、股パネルの幅が前側本体パネルおよび後側本体パネルのうちのいずれかの幅よりも大きくなるように股パネルにおける弾性ウェブ材をパンツ物品の横方向に延伸または変形させる処置が加えられている。
【００１５】
前記サイドシームは、少なくとも１０ｍｍ、好ましくは少なくとも２０ｍｍ股パネル内に延在することができる。
【００１６】
前側パネル、後側パネルおよび股パネルにおける弾性ウェブ材は、少なくとも１つの繊維層と、少なくとも１つの薄膜層とを備える弾性積層体とすることができる。
【００１７】
さらに、本発明は、ボクサーショーツの形態の吸収性パンツ物品の作製方法であって、前記ボクサーショーツが、前側本体パネルと、後側本体パネルと、前側本体パネルと後側本体パネルとの間に位置する股パネルと、少なくとも股パネルに配置された吸収性コアと、前側ウエスト縁部と、後側ウエスト縁部と、前側本体パネルを後側本体パネルにつなぐサイドシームと、１対の脚用開口と、垂下脚部とを含む衣類シェルを備える、方法において、前記方法が、前記股パネルを形成するように意図された弾性ウェブ材を準備するステップと、前記前側本体パネルおよび前記後側本体パネルを形成するように意図された弾性ウェブ材を準備するステップと、股パネルウェブ材を前側パネルウェブ材および後側パネルウェブ材のそれぞれに取り付けるステップであって、互いに取り付けられるときに、前側本体パネルおよび後側本体パネルを形成する弾性ウェブ材のうちの少なくとも１つが、伸長状態で保持され、股パネルを形成する弾性ウェブ材が、弛緩状態または前側本体パネルおよび後側本体パネルのうちの前記少なくとも１つを形成する弾性ウェブ材と比べてそれほど伸長されない状態である、ステップと、脚用開口を股パネルウェブ材に設けるステップと、吸収性コアを少なくとも股パネルウェブ材に取り付けるステップと、前側パネルウェブ材と後側パネルウェブ材とを一緒に取り付けて前記サイドシームを形成するステップとを含み、前記サイドシームは、股パネルウェブ材内に延在する、方法に言及する。
【００１８】
股パネルウェブ材は、前側パネルウェブ材および後側パネルウェブ材のうちの前記少なくとも１つと同一の種類であっても、または異なる種類であってもよい。
【００１９】
さらに、本発明は、ボクサーショーツの形態の吸収性パンツ物品を作製する方法であって、前記ボクサーショーツが、前側本体パネルと、後側本体パネルと、前側本体パネルと後側本体パネルとの間に位置する股パネルと、少なくとも股パネルに配置された吸収性コアと、前側ウエスト縁部と、後側ウエスト縁部と、前側本体パネルを後側本体パネルにつなぐサイドシームと、１対の脚用開口と、垂下脚部とを含む衣類シェルを備えることができ、前記方法が、前記前側パネル、前記後側パネルおよび前記股パネルを形成するように意図された弾性ウェブ材を準備するステップと、股パネルを形成するように意図された区域における弾性ウェブ材が前側本体パネルおよび後側本体パネルを形成するように意図された区域における弾性ウェブ材の寸法を超える寸法を有するように、股パネルを形成するように意図された区域における弾性ウェブ材に、この弾性ウェブ材を吸収性パンツの横(x)方向を形成するように意図された方向に延伸させることになる処置を加えるステップと、脚用開口を股パネル区域に設けるステップと、吸収性コアを少なくとも股パネル区域に取り付けるステップと、前側パネル区域と後側パネル区域とを一緒に取り付けて前記サイドシームを形成するステップとを含み、前記サイドシームは股パネル区域内に延在する、方法に言及する。
【図面の簡単な説明】
【００２０】
【図１】本発明による１枚のボクサーショーツの一実施形態の正面図である。
【図２Ａ】吸収性組立体が取り付けられた、第１の実施形態に従って組み立てられる衣類シェルウェブの平面図である。
【図２Ｂ】脚用裁断部が中に作製された、組み立てられる衣類シェルウェブを示す図である。
【図３】吸収性組立体が取り付けられた、第２の実施形態に従って組み立てられる衣類シェルウェブの平面図である。
【図４】特許請求される寸法を有する１枚のボクサーショーツを概略的に示す図である。
【図５Ａ】ボクサーショーツの作製工程を概略的に示す図である。
【図５Ｂ】ボクサーショーツの作製工程を概略的に示す図である。
【図６】ボクサーショーツの異なる作製工程を概略的に示す図である。
【発明を実施するための形態】
【００２１】
以下において、添付の図面に示されるいくつかの実施形態を参照して本発明をより詳細に説明する。
【００２２】
図１は、ボクサーショーツの形態の吸収性パンツ１０の一実施形態を示す。用語「吸収性パンツ」とは、尿、糞便および月経液のような身体滲出物を吸収し収容するために着用者の肌に当てられるパンツ製品を指す。本発明は、使用後に洗濯または他の方法で吸収性パンツとして再生もしくは再利用するためのものではない物品を意味する、使い捨て吸収性パンツに主に言及する。本発明によれば、ボクサーショーツの形態のパンツ型吸収性物品が言及される。「ボクサーショーツ」は、垂下脚部を有するパンツを指す。このボクサーショーツは、パンツ型おむつ、女性用ケアパンツ、失禁パンツ、使い捨て水着など、多くの用途を有することができる。
【００２３】
パンツは、前側本体パネル１２と、後側本体パネル１３と、前側本体パネルと後側本体パネルとの間に位置する股パネル１４とを含む衣類シェル１１を備える。前側パネル１２および後側パネル１３は、ウエスト開口２１ならびに垂下脚部２４および２５を有する１対の脚用開口２２および２３を有する３次元パンツ形状を画定するためにサイドシーム１９および２０で一緒に結合される。サイドシームは、超音波溶接、熱接合、接着剤での接着などのような、あらゆる従来の様式で形成することができる。
【００２４】
脚用開口２２および２３は、股パネル に形成され、前側本体パネル１２および後側本体パネル１３内には延在しない。サイドシーム１９および２０は股パネル１４内に延在し、この股パネル１４は垂下脚部２４および２５を形成する。好ましくは、サイドシーム１９および２０は、少なくとも１０ｍｍ、好ましくは少なくとも２０ｍｍ股パネル内に延在する。
【００２５】
前側本体パネル１２、後側本体パネル１３および股パネル１４は、弾性ウェブ材製であり、以下でより詳細に説明される。股パネル１４は、たとえば図１および図２Ａ、図２Ｂに示されるように、前側本体パネル１２および後側本体パネル１３の弾性ウェブ材にシーム２６および２７に沿って取り付けられた個別の弾性ウェブ材とすることができる。シーム２６および２７は、超音波溶接、熱接合、接着剤での接着などのような、あらゆる従来の様式で形成することができる。あるいは、股パネル１４は、図３に示すように前側本体パネル１２および後側本体パネル１３と一体である。
【００２６】
吸収性コア１６を備えるコア領域１５は、股パネル１４に配置され前側パネル１２および後側パネル１３内に延在する。吸収性コア１６は、透液性上面シート１７と不透液性背面シート１８との間に封入される。
【００２７】
パンツ１０は、弾性ウエストバンド２１ａをさらに備える。ウエストバンド２１ａは、弾性糸などの弾性部材１４により弾性をもたせた不織材を含んでいてもよく、この弾性部材１４は、不織材などの材料層の間に収縮可能に固定される。ウエストバンド２１ａは、超音波溶接、熱接合、接着剤での接着などのような、あらゆる従来の様式で前側パネル１２および後側パネル１３のウエスト縁部に結合される。
【００２８】
パンツは、長手方向ｙおよび横方向ｘを有する。
【００２９】
以下において、パンツの他の構成要素の説明を示す。
【００３０】
上面シート
透液性上面シート１７は、不織材、たとえばスパンボンド不織材、メルトブローン不織材、カード式不織材、水流交絡不織材、湿式不織材などからなり得る。適した不織材は、木材パルプもしくは綿繊維などの天然繊維や、ポリエステル、ポリエチレン、ポリプロピレン、ビスコースなどの人工繊維から構成するか、または天然繊維と人工繊維との混合物から構成することができる。上面シート材は、たとえば特許文献３に開示されるように、ある接合パターンで互いに接合することができるトウ繊維（ｔｏｗ  ｆｉｂｅｒ）からさらに構成されてもよい。上面シート材のさらなる例は、多孔質発泡体、有孔プラスチックフィルム（ａｐｅｒｔｕｒｅｄ  ｐｌａｓｔｉｃ  ｆｉｌｍ）などである。上面シート材に適した材料は、柔らかで肌に刺激がなく、体液、たとえば尿または月経液が容易に浸透されるものであるべきである。上面シートは吸収性物品の異なる部分では異なっていてもよい。
【００３１】
背面シート
不透液性背面シート１８は、薄いプラスチックフィルム、たとえばポリエチレンフィルムもしくはポリプロピレンフィルム、不透液性材料で被覆された不織材、耐透液性である疎水性不織材またはプラスチックフィルムと不織材とを含む積層体など不透液性材料のものである。不透液性背面シート１８は、液体が吸収性コアを通過するのを防止したままでありながら、蒸気が吸収性コアから放出されることを可能にするように通気性であってもよい。通気性背面シート材の例は、多孔性ポリマーフィルム、スパンボンド不織層とメルトブローン不織層とによる不織積層体、多孔性ポリマーフィルムと不織体とによる積層体である。背面シート材１８は、好ましくは非弾性である。
【００３２】
吸収性コア
吸収性コア１６は、あらゆる従来の種類のものとすることができる。一般に存在する吸収性材料の例は、セルロース綿毛パルプ、織物層、高吸収性ポリマー（いわゆる超吸収体）、吸収性発泡材、吸収性不織材などである。１つの吸収性コア中でセルロース綿毛パルプを超吸収性ポリマーと組み合わせることは一般的である。超吸収性ポリマーは、自重の少なくとも約２０倍の、０．９重量％の塩化ナトリウムを含む水溶液を吸収することができる水膨張性、水不溶性の有機材料または無機材料である。超吸収性材料としての使用に好適な有機材料には、多糖、ポリペプチドなどの天然材料、ならびに合成ヒドロゲルポリマーなどの合成材料を含むことができる。そのようなヒドロゲルポリマーは、たとえばポリアクリル酸、ポリアクリルアミド、ポリビニルアルコール、ポリアクリル酸、ポリビニルピリジンなどのアルカリ金属塩を含む。他の好適なポリマーは、加水分解アクリロニトリルグラフトデンプン、アクリル酸グラフトデンプン、イソブチレン無水マレイン酸コポリマーおよびその混合物を含む。ヒドロゲルポリマーは、好ましくは材料を実質的に水不溶性にするために軽度に架橋される。好ましい超吸収性材料はさらに表面架橋され、その結果、外側面またはシェルの超吸収性粒子、繊維、薄片、スフィアなどが、内側部分の超吸収体よりも高い架橋密度を有する。超吸収性材料は、粒子、繊維、薄片、スフィアなどを含む吸収性複合体の使用に好適なあらゆる形態とすることができる。
【００３３】
高い吸収性容量は、多量の超吸収性材料を使うことによって実現される。マトリクス状のセルロース繊維などの親水性繊維と、超吸収性材料とを含む吸収性コアに関して、超吸収性材料の比率は、好ましくは１０から９０重量％、より好ましくは３０から７０重量％である。
【００３４】
吸収性物品において、液体の受容容量、液体の分散容量および貯蔵容量に対する様々な特性の層を備える吸収性コアを有することは一般的である。たとえば乳児用おむつおよび失禁ガードで一般的である薄い吸収性本体は、しばしば、セルロース綿毛パルプおよび超吸収性ポリマーを圧縮、混合、または層状にした構造を含む。吸収性コアの大きさおよび吸収容量は、幼児用または成人の失禁者用など異なる使用に適するように変更することができる。
【００３５】
吸収性コアは、主要吸収性本体の上部に置かれた捕捉分散層をさらに含むことができ、この捕捉分散層は、排泄された液体を素早く受け入れ、主要吸収性本体によってこの液体が吸収される前に一時的に貯蔵するように構成される。そのような捕捉分散層は当技術分野においてよく知られており、多孔性の繊維状詰め物または発泡材から構成することができる。
【００３６】
弾性ウェブ材
衣類シェル１１の前側本体パネル１２および後側本体パネル１３ならびに股パネル１４は、少なくとも物品の横ｘ方向に弾性である弾性ウェブ材を備える。ｘ方向への弾性は、以下で特定する弾性試験によって測定したときに、少なくとも３０％、好ましくは少なくとも５０％、より好ましくは少なくとも７０％であるべきである。
【００３７】
また、弾性積層材は、物品のｙ方向に弾性であってもよい。しかし、ｙ方向への弾性は、好ましくはｘ方向への弾性よりも低い。
【００３８】
弾性ウェブ材は、弾性積層材とすることができる。そのような弾性積層体は、不織層および/または薄膜層の形態の少なくとも２つのウェブ形材料層から構成され得る。積層体におけるウェブ形材料層のうちの少なくとも１つは、弾性である。あるいは、弾性積層材は、ウェブ形材料、たとえば不織材の間に延伸された状態で収縮可能に固定された、弾性糸または弾性条片などの複数の伸長する弾性部材を含むことができる。以下に示し、説明する実施形態では、弾性積層体は、繊維材である第１および第２の外側層ならびに前記外側層の間に配置された中間弾性薄膜層から構成される。
【００３９】
外側繊維層は、積層体に柔らかで布のような感触を提供することが望ましい。外側繊維層として使用される好適な材料の例は、カード式ウェブ、スパンボンド材、およびちりめん状にしたまたはしわを付けた不織体である。繊維材層の坪量は、１０から３５ｇ／ｍ２、好ましくは１２から３０ｇ／ｍ２、より好ましくは１５から２５ｇ／ｍ２とするべきである。繊維材に使用される好適なポリマーの例は、ポリエチレン、ポリエステル、ポリプロピレンならびに他のポリオレフィンのホモポリマーおよびコポリマーである。天然繊維、たとえば綿も、要求される特性を提供する限りは使用することができる。ポリマーの混合物は、不織層のより高い可撓性に寄与することができ、このことにより、不織材に最大荷重でより高い伸びが与えられる。ポリエチレンポリマーおよびポリプロピレンポリマーの混合物が、この点について良好な結果をもたらすことがわかっている。異なるポリマーからなる繊維を混合することもまた可能である。また、共役繊維を使用することもでき、ここでは、２つ以上のポリマーが、共役繊維の断面全体にわたって位置する個別の帯域に配置される。共役繊維は、複合繊維または多成分繊維のことも指す。
【００４０】
本発明の一実施形態による中間層は、２０から８０ｇ／ｍ２、好ましくは２０から６０ｇ／ｍ２の坪量を有する有孔弾性薄膜とすることができる。この薄膜は、天然でも合成でも、あらゆる好適な弾性ポリマーとすることができる。弾性薄膜のための好適な材料のいくつかの例は、低結晶性ポリエチレン、メタロセン触媒低結晶性ポリエチレン、エチレン酢酸ビニルコポリマー（ＥＶＡ）、ポリウレタン、ポリイソプレン、ブタジエン-スチレンコポリマー、スチレンブロックコポリマー、たとえば、スチレン／イソプレン／スチレン（ＳＩＳ）、スチレン／ブタジエン／スチレン（ＳＢＳ）またはスチレン／エチレン-ブタジエン／スチレンブロックコポリマーである。これらのポリマーのブレンドならびに他の変性エラストマ材料または非エラストマ材料を使用することもできる。好適な薄膜の一例は、ＰＥ−ＳＥＢＳ−ＰＥの有孔３層エラストマ薄膜である。
【００４１】
積層体の総坪量は、好ましくは１２０ｇ／ｍ２以下、好ましくは１１０ｇ／ｍ２以下、より好ましくは１００ｇ／ｍ２以下である。
【００４２】
弾性積層体の一例は、特許文献４に開示される方法であって、１つのスパンボンド層が粘着状態で薄膜に施され、したがって薄膜層に接合することになり、一方で他のスパンボンド層が、たとえば感圧性ホットメルト接着剤を使用してこの薄膜層に接着して積層される方法により製造される。あるいは、積層体は、この知られている方法の変更した形態により製造され、この変更形態には、非弾性不織層のうちの少なくとも１つに対してある強度を保持するために、不織層のうちの少なくとも１つの最高荷重における伸び未満の点まで積層体を（噛合ギヤ（ｉｎｔｅｒｍｅｓｈｉｎｇ  ｇｅａｒｓ）、ＩＭＧにより）一定増分で引き伸ばすことを含む。また、他の層は、最高荷重におけるその層の伸び未満の点まで、または、引き伸ばす間に引き裂かれる点まで引き伸ばすことができる。
【００４３】
特許文献４に開示される方法には、非弾性層が完全に破断するように繊維材が破損する点を超えて積層体を引き伸ばすことを含む。したがって、特許文献４に記載されるように、積層体の伸びは非弾性材の伸び係数によって制限されない。
【００４４】
修正した本方法によれば、弾性薄膜に接合された少なくとも１つ、好ましくは両方の繊維層は、特許文献４に記載された方法とは対照的に、本発明による積層体の製造時に完全に引き裂かれない。弾性積層体の弾性よりも大きい最大荷重における伸びを有する繊維材を選択することで、繊維層によって妨げられることなく弾性薄膜を引き伸ばすことを可能にする。また、そのような選択により、製造中に繊維層は完全に引き裂かれることも、破断もしないので、繊維層が、積層体のあな開け強さ（ｐｕｎｃｔｕｒｅ  ｒｅｓｉｓｔａｎｃｅ）に寄与することを確実にする。好ましくは、繊維層または繊維層のうちの少なくとも１つは、積層体の弾性よりも少なくとも１０％高い最大荷重における伸びを有する。このことは、特許文献５により詳細に記載されている。
【００４５】
代替実施形態では、積層体は、不織ウェブの形態の第１の繊維層を接合ニップ内に送り込み、弾性薄膜を形成する溶融ポリマーをダイを通してニップ内に押し出すことによって製造される。第１の繊維層および弾性薄膜が、第１の積層体を形成する。第２の積層ステップでは、第１の積層体の薄膜側を接着剤で被覆または接着剤を吹き付け、続いて第２の繊維層と共に第２の接合ニップを通過させて積層体を形成する。続いて、積層体は、噛合ギヤ、ＩＭＧを通過させることによる、一定増分の引伸ばしにかけることによって有効になる。
【００４６】
さらなる実施形態では、繊維材である第１の層および弾性薄膜層は、繊維材である第１の層を一定増分で引き伸ばし、部分的に引き裂くことによって弾性状態にされている第１の弾性積層体の部品を形成し、第１の積層体は引き伸ばされた状態で、繊維材である第２の層に接合されている。この結果得られた積層体は、弾性的に伸縮可能となる。
【００４７】
またさらなる実施形態では、繊維材である第１および第２の層は、弾性薄膜層が引き伸ばされた状態で、この弾性薄膜層に接合されている。この結果得られた積層体は、弾性的に伸縮可能となる。
【００４８】
弾性積層体１１が、２４時間で少なくとも１５００ｇ／ｍ２、好ましくは２４時間で少なくとも３０００ｇ／ｍ２のＡＳＴＭ  Ｅ９６−００  Ｐｒｏｃｅｄｕｒｅ  Ｄによる通気性（水蒸気透過率）を有することがさらに好ましい。
【００４９】
ボクサーショーツの実施形態
本発明によるボクサーパンツは、横方向ｘでみると、弾性ウェブ材の弛緩状態では、前側本体パネル区域１２および後側本体パネル区域１３の幅よりも、股パネル区域１４の方が大きい幅を有する。このことにより、通常は、たとえばウエスト区域よりも大きな幅を必要とする脚用開口区域におけるフィット性および快適さが保証されることになる。それぞれの弾性ウェブ材が弛緩状態で測定されるときの、パンツ物品のサイドシーム１９とサイドシーム２０との間の距離として測定した幅ＡおよびＢを図４に示す。股パネルにおけるサイドシーム１９とサイドシーム２０との間の幅は、前側本体パネルおよび後側本体パネルのうちのいずれかの幅よりも少なくとも７％大きい。通常は、前側本体パネルおよび後側本体パネルの幅は、ほぼ同一である。しかし、前側本体パネルおよび後側本体パネルの幅が同一ではなかった場合、股パネル区域の幅は、前側本体パネルおよび後側本体パネルのうちの最も広い幅よりも少なくとも７％大きくするべきである。
【００５０】
股パネルの幅は、前側本体パネルおよび後側本体パネルのうちのいずれかの幅よりも少なくとも１０％大きくてもよい。股パネルの幅は、前側本体パネルおよび後側本体パネルのうちのいずれかの幅よりも好ましくは１００％以下、より好ましくは１０から７０％、最も好ましくは２０から４０％大きい。
【００５１】
図２Ａ、図２Ｂに示される一実施形態では、股パネル１４は、前側本体パネル１２および後側本体パネル１３の弾性ウェブ材にシーム２６および２７に沿って取り付けられた個別の弾性ウェブ材である。前側パネル、後側パネルおよび股パネルを形成する弾性ウェブ材は、同一の種類であっても、異なる種類であってもよい。幅の相違は、異なる伸長状態で、シーム２６および２７に沿って弾性ウェブ材を互いに結合することによって得ることができ、前側本体パネルおよび後側本体パネルを形成する弾性ウェブ材は、股パネルを形成する弾性ウェブ材よりも伸長状態で保持され、この股パネルは、それほど伸長されない状態、または弛緩状態で保持される。弛緩時に、前側本体パネルおよび後側本体パネルを形成する弾性ウェブ材は、弛緩状態の複数の異なるパネルが上記で言及した異なる幅を有するように、股パネルを形成する弾性ウェブ材よりも縮むことになる。
【００５２】
図５は、弾性ウェブ材１２ａ、１３ａ、１４ａをシーム２６ａ、２７ａに沿って結合する工程を示す。弾性ウェブ材は、前側パネル１２、後側パネル１３および股パネルを形成することになる。互いに結合されるとき、弾性ウェブ材１２ａ、１３ａは、弾性ウェブ材１４ａよりも伸長状態で保持される。弾性ウェブ材１２ａ、１３ａ、１４ａは、好ましくは工程の同一の段階で互いに結合されるが、明確にするために、図５では、弾性ウェブ材１２ａ、１３ａ、１４ａが工程の異なる段階で結合されることを示す。
【００５３】
図３に示される別の実施形態では、股パネル１４は前側本体パネル１２および後側本体パネル１３と一体である。股パネル１４を所望の幅に広げることを達成するために、股パネル１４は、元の縮められた寸法に完全に戻らないように延伸または変形させる処置が加えられている。この延伸または変形は、少なくともパンツ物品の横方向ｘになされるべきである。
【００５４】
図６は、股パネル１４を形成することを意図した弾性ウェブ材である中心部分のみが、一定増分で引き伸ばされ、永久に変形し延伸されるように、その中心部に噛合ギヤ３０、３１を有するロール２８、２９により弾性ウェブ材２７の中心部を一定増分で引き伸ばすための工程を示す。
【００５５】
弾性試験
本方法は、荷重および非荷重サイクルの反復で弾性材が如何に挙動するかを測定する。サンプルは、所定の伸びまで引き伸ばされ、０と前記所定の伸びとの間の周期的な動作が実施される。所望の荷重および非荷重力が記録される。弛緩した材料の永久伸び、すなわち残存する伸びが測定される。
【００５６】
周期的な動作を実施することができ、プリンタ／プロッタまたはソフトウェア表示を備えるＬｌｏｙｄ  ＬＲＸなどの好適な引張試験機が使用される。サンプルは、２５．４ｍｍの幅、および好ましくは引張試験機のクランプ間の距離よりも２０ｍｍ長い長さに切断することによって調製される。試験の前にサンプルを２３℃±１℃の温度および５０％ＲＨ±５％ＲＨの条件にする。
【００５７】
引張試験機を装置の説明書に従って較正する。試験に必要なパラメータ（荷重および非荷重）を以下の通りに調節する。
クロスヘッド速度：５００ｍｍ／分
クランプ距離：５０ｍｍ
予荷重：０．０５Ｎ
【００５８】
サンプルをクランプ用に作製された印に従ってクランプ内に置き、サンプルがクランプ内の中心に置かれ、垂直に固定されていることを確認する。引張試験機を始動し、０と所定の伸びとの間の３サイクルが実施される。最初と次のサイクルの間に中断はない。最後のサイクルの前に、サンプルは１分間弛緩され、次に０．１Ｎの力が検出されるまでサンプルを引き伸ばすことによって永久伸びが測定され、伸びが読み取られる。
【００５９】
弾性という用語は、本明細書において、材料が上記の試験で３０％の伸びをかけられた後、１０％未満の弛緩の後に永久伸びを有する材料を定義するために使用される。３０％の伸びとは、サンプルの最初の長さよりも３０％長い長さに対する伸びを意味する。
【符号の説明】
【００６０】
１０  吸収性パンツ
１１  衣類シェル
１２  前側本体パネル
１３  後側本体パネル
１４  股パネル
１５  コア領域
１６  吸収性コア
１７  透液性上面シート
１８  不透液性背面シート
１９  サイドシーム
２０  サイドシーム
２１  ウエスト開口
２１ａ  弾性ウエストバンド
２２  脚用開口
２３  脚用開口
２４  垂下脚部
２５  垂下脚部
２６  シーム
２７  シーム
２８  ロール
２９  ロール
３０  噛合ギヤ
３１  噛合ギヤ
【図１】
0005940090.tif 000002
【図２Ａ】
0005940090.tif 000003
【図２Ｂ】
0005940090.tif 000004
【図３】
0005940090.tif 000005
【図４】
0005940090.tif 000006
【図５Ａ】
0005940090.tif 000007
【図５Ｂ】
0005940090.tif 000008
【図６】
0005940090.tif 000009